(57)【要約】【課題】炊飯器本体内に着脱自在に収納した鍋を誘導加熱する炊飯器において、高周波インバータの動作周波数を表示することで、使用者が炊飯器から大きな音を発した原因が鍋鳴りかどうかを容易に判断できるようにし、信頼性の高い炊飯器を提供する。【解決手段】炊飯器本体内に鍋２を着脱自在に収納し、この鍋２を誘導加熱する加熱コイル７に高周波インバータ１７を接続し、この高周波インバータ１７を構成するスイッチング素子１４の導通、遮断を制御手段１３により制御する。周波数検知手段１５により高周波インバータ１７の動作周波数に相当する値を検知し、この周波数検知手段１５により検知した周波数に相当する値を表示手段１０に表示するよう構成する。【選択図】図１
2006141517.tif 000002
【特許請求の範囲】
【請求項１】
炊飯器本体と、この炊飯器本体内に着脱自在に収納した鍋と、この鍋を誘導加熱する加熱コイルと、この加熱コイルに接続された高周波インバータと、この高周波インバータを構成するスイッチング素子と、このスイッチング素子の導通、遮断を制御する制御手段と、前記高周波インバータの動作周波数に相当する値を検知する周波数検知手段と、表示動作をする表示手段を備え、前記表示手段は、前記周波数検知手段により検知した周波数に相当する値を表示するよう構成した炊飯器。
【請求項２】
上枠とともに鍋の収納部を構成し底部外面に加熱コイルを配設する保護枠と、前記上枠の上端部に設け前記鍋の上端周縁部を載せて前記鍋を支持する着脱自在の支持部材とを備え、前記支持部材は、上下方向の厚みが異なる複数種類を予め用意し、前記上枠の上端部から前記保護枠の底部までの上下方向の寸法によって、厚みが異なる前記支持部材を選択して取り付ける構成とした請求項１記載の炊飯器。
【請求項３】
周波数検知手段で検知した周波数があらかじめ設定した周波数に合致するかどうかを判定する第１の判定手段を備え、表示手段は、前記第１の判定手段の結果を表示するようにした請求項１または２記載の炊飯器。
【請求項４】
周波数検知手段で検知した周波数が少なくとも１つ以上のあらかじめ設定した周波数領域に合致した場合、あらかじめ設定した周波数領域に合致しないように、支持部材の上下方向の厚みを判定する第２の判定手段を備え、表示手段は、前記第２の判定手段の結果を表示するようにした請求項１〜３のいずれか１項に記載の炊飯器。
【請求項５】
周波数検知手段は、制御手段で生成されるスイッチング素子へのオン・オフにより、オン時間またはオフ時間を検出するようにした請求項１〜４のいずれか１項に記載の炊飯器。
【請求項６】
周波数検知手段は、スイッチング素子電圧の周波数を検知するようにした請求項１〜４のいずれか１項に記載の炊飯器。
【請求項７】
周波数検知手段は、加熱コイルに流れる電流の周波数を検知するようにした請求項１〜４のいずれか１項に記載の炊飯器。
【請求項８】
使用者が操作するスイッチを有する操作手段を備え、表示手段は、前記操作手段で所定のスイッチが押された場合に、周波数検知手段により検知した周波数に相当する値を表示するようにした請求項１〜７のいずれか１項に記載の炊飯器。
【請求項９】
表示手段は、周波数検知手段により検知した周波数の表示と炊飯機能の表示を兼用するようにした請求項１〜８のいずれか１項に記載の炊飯器。
【発明の詳細な説明】
【技術分野】
【０００１】
本発明は、炊飯器本体内に着脱自在に収納した鍋を誘導加熱する炊飯器に関するものである。
【背景技術】
【０００２】
従来、この種の炊飯器は、高周波インバータを構成するスイッチング素子の導通、遮断を制御手段により制御し、高周波インバータに加熱コイルを接続して、外面に非磁性金属層を持つ鍋を加熱するよう構成し、高周波インバータの動作周波数が鍋の固有振動周波数または高次周波数に合致するのを回避するように、スイッチング素子の導通時間に上限を設けるようにしている（例えば、特許文献１参照）。
【０００３】
図９は、特許文献１に記載された従来の炊飯器を示すものである。
【０００４】
図９に示すように、高周波インバータ３１は、スイッチング素子３２を有し、このスイッチング素子３２の導通、遮断を制御手段３３により制御し、高周波インバータ３１に接続された加熱コイル３４により鍋３５を誘導加熱するよう構成している。ここで、スイッチング素子３２は、制御手段３３によって、導通時間に上限を設けている。
【特許文献１】特開２００１−３３３８５６号公報
【発明の開示】
【発明が解決しようとする課題】
【０００５】
このような従来の構成の炊飯器では、スイッチング素子３２の導通時間に上限値を設けているが、加熱コイル３４を構成するフェライト割れなどの経年変化によって、加熱コイル３４と鍋３５の磁気結合の度合いが変わるので、高周波インバータ３１から見た加熱コイル３４と鍋３５のインダクタンスが変化し、高周波インバータ３１の動作周波数が変動する。
【０００６】
このとき、高周波インバータ３１の動作周波数が所定の周波数領域にあると、鍋３５が共鳴して大きな音を発し、使用者に不快感を与え、この原因が鍋３５の共鳴かどうか判断することができないというものであった。
【０００７】
ここで、鍋３５が共鳴することを便宜上、鍋鳴りと呼ぶ。さらに、鍋３５が強く共鳴を起こす強共振周波数領域と、鍋３５が弱く共鳴を起こす弱共振周波数領域を有することがわかっている。
【０００８】
本発明は上記従来の課題を解決するもので、高周波インバータの動作周波数を表示することで、使用者が炊飯器から大きな音を発した原因が鍋鳴りかどうかを容易に判断できるようにし、信頼性の高い炊飯器を提供することを目的としている。
【課題を解決するための手段】
【０００９】
本発明は上記目的を達成するために、炊飯器本体内に鍋を着脱自在に収納し、この鍋を誘導加熱する加熱コイルに高周波インバータを接続し、この高周波インバータを構成するスイッチング素子の導通、遮断を制御手段により制御するよう構成し、周波数検知手段により高周波インバータの動作周波数に相当する値を検知し、この周波数検知手段により検知した周波数に相当する値を表示手段に表示するよう構成したものである。
【００１０】
これにより、炊飯器から大きな音を発した場合に、使用者は鍋鳴りにより大きな音を発したかどうか容易に判断することができ、信頼性の高い炊飯器を提供することができる。
【発明の効果】
【００１１】
本発明の炊飯器は、高周波インバータの動作周波数を表示することで、炊飯器から大きな音が発した場合、使用者は鍋が共鳴する鍋鳴りにより大きな音が発生したのか、その他の原因で大きな音を発したかどうか容易に判断することができるので、信頼性を向上することができる。
【発明を実施するための最良の形態】
【００１２】
第１の発明は、炊飯器本体と、この炊飯器本体内に着脱自在に収納した鍋と、この鍋を誘導加熱する加熱コイルと、この加熱コイルに接続された高周波インバータと、この高周波インバータを構成するスイッチング素子と、このスイッチング素子の導通、遮断を制御する制御手段と、前記高周波インバータの動作周波数に相当する値を検知する周波数検知手段と、表示動作をする表示手段を備え、前記表示手段は、前記周波数検知手段により検知した周波数に相当する値を表示するよう構成したものであり、炊飯器から大きな音を発した場合に、使用者は鍋が共鳴する鍋鳴りにより大きな音が発生したのか、その他の原因で大きな音を発したかどうかを容易に判断することができ、信頼性を向上することができる。
【００１３】
第２の発明は、上記第１の発明において、上枠とともに鍋の収納部を構成し底部外面に加熱コイルを配設する保護枠と、前記上枠の上端部に設け前記鍋の上端周縁部を載せて前記鍋を支持する着脱自在の支持部材とを備え、前記支持部材は、上下方向の厚みが異なる複数種類を予め用意し、前記上枠の上端部から前記保護枠の底部までの上下方向の寸法によって、厚みが異なる前記支持部材を選択して取り付ける構成としたものであり、鍋鳴りが発生した場合に鍋支持部材を変更することで、高周波インバータから見た加熱コイルと鍋のインダクタンスを変えることができ、高周波インバータの動作周波数を変えることができるので、鍋鳴りを防止することができる。
【００１４】
第３の発明は、第１または第２の発明において、周波数検知手段で検知した周波数があらかじめ設定した周波数に合致するかどうかを判定する第１の判定手段を備え、表示手段は、前記第１の判定手段の結果を表示するようにしたものであり、高周波インバータの動作周波数が鍋鳴りの周波数領域にある場合に、表示手段は鍋鳴りの周波数領域にあることを使用者に視覚的に知らせることができるので、使用者は鍋鳴りの周波数領域を覚えておく必要がなく、使用者の手間を省くことができる。
【００１５】
第４の発明は、第１〜３の発明のいずれか１つの発明において、周波数検知手段で検知した周波数が少なくとも１つ以上のあらかじめ設定した周波数領域に合致した場合、あらかじめ設定した周波数領域に合致しないように、支持部材の上下方向の厚みを判定する第２の判定手段を備え、表示手段は、前記第２の判定手段の結果を表示するようにしたものであり、高周波インバータの動作周波数が鍋鳴りの周波数領域にある場合に、表示手段には鍋鳴り周波数領域から外れる鍋支持部材の上下方向の厚みを表示するので、使用者は容易に鍋支持部材の上下方向の厚みを選択することができ、利便性の向上を実現することができる。
【００１６】
第５の発明は、第１〜４の発明のいずれか１つの発明において、周波数検知手段は、制御手段で生成されるスイッチング素子へのオン・オフにより、オン時間またはオフ時間を検出するようにしたものであり、導通時間または遮断時間により周波数を推定できるので、周波数を検知する回路等の必要性がなく、部品点数を減らすことができ、基板の実装面積を減らすことができる。
【００１７】
第６の発明は、第１〜４の発明のいずれか１つの発明において、周波数検知手段は、スイッチング素子電圧の周波数を検知するようにしたものであり、周波数検知手段は高周波インバータの周波数をスイッチング素子の電圧により周波数に変換することで検知できるので、インバータの動作周波数を正確に検知できる。
【００１８】
第７の発明は、第１〜４の発明のいずれか１つの発明において、周波数検知手段は、加熱コイルに流れる電流の周波数を検知するようにしたものであり、周波数検知手段は高周波インバータのコイル電流を直接測定し、そのコイル電流により周波数に変換することで検知できるので、インバータの動作周波数を正確に検知できる。
【００１９】
第８の発明は、第１〜７の発明のいずれか１つの発明において、使用者が操作するスイッチを有する操作手段を備え、表示手段は、前記操作手段で所定のスイッチが押された場合に、周波数検知手段により検知した周波数に相当する値を表示するようにしたものであり、使用者が所定のスイッチを押したときに表示手段にはインバータ動作周波数が表示されるので、使用者が周波数の情報を必要なときにのみ得ることができる。
【００２０】
第９の発明は、第１〜８の発明のいずれか１つの発明において、表示手段は、周波数検知手段により検知した周波数の表示と炊飯機能の表示を兼用するようにしたものであり、検知周波数の表示手段と炊飯機能を示す表示手段とを設ける必要がなく、部品点数を減らすことができるので、基板の実装面積を減らすことができる。
【００２１】
以下、本発明の実施の形態について、図面を参照しながら説明する。なお、この実施の形態によって本発明が限定されるものではない。
【００２２】
（実施の形態１）
図１は、本発明の実施の形態１における炊飯器の一部ブロック化した回路図を示し、図２は、同炊飯器の断面図を示し、図３は、ＰＷＭ回路からスイッチング素子１４をオン・オフするパルス信号、スイッチング素子１４の電圧、加熱コイル７の電流をそれぞれ示し、図４は、同炊飯器の表示および操作部を示す図を示すものである。
【００２３】
図２（ａ）に示すように、炊飯器本体１は、内部に鍋２の収納部を構成する保護枠３と保護枠側面部４および上枠６とを配設している。鍋２はステンレス、鉄などの磁性体によって形成し、炊飯器本体１内に着脱自在に収納している。また、図２（ｂ）に示すように、鍋２の上端部に形成した上端周縁部を上枠６の上端部に設けた複数個の支持部材５に当接させることにより鍋２を支持している。
【００２４】
加熱コイル７は、鍋２の底面外側に配設し、高周波インバータ基板８から供給される高周波電流により交番磁界を発生し、この交番磁界で鍋２を誘導加熱している。また、複数の銅線を束ねたリッツ線で構成している。フェライト９は、高透磁性の磁性材料で形成し、加熱コイル７の巻線方向に対して、その巻線方向がほぼ直交するように、加熱コイル７の外側近傍に配置している。フェライト９は、加熱コイル７による磁界が炊飯器本体１の外部へ漏れるのを防止するとともに、鍋２への誘導加熱を促進する。
【００２５】
表示手段１０と操作手段１１は、蓋に配置している（詳細は図４で説明する）。温度センサ１２は鍋２の温度を検知するもので、サーミスタで構成し、その抵抗値により温度を検知するものである。
【００２６】
つぎに、図１に示すように、鍋２は鍋の等価回路を示している。制御手段１３は、高周波インバータ基板８に搭載したマイクロコンピュータ１６で構成している。スイッチング素子１４はＭＯＳＦＥＴやＩＧＢＴ等の半導体パワー素子と、この半導体パワー素子に逆接続した逆接続ダイオードで構成し、高周波インバータ１７に含まれており、スイッチング素子１４のスイッチングにより加熱コイル７へ電力を供給するもので、スイッチング周波数によって供給電力を制御できるよう構成している。
【００２７】
制御手段１３は、スイッチング素子１４の導通、遮断を制御するもので、スイッチング素子１４にオン・オフのパルス信号を出力するＰＷＭ回路で構成し、ＰＷＭ回路は、マイクロコンピュータ１６内で設定されたパルス幅を出力する機能を備えている。周波数検知手段１５は、高周波インバータ１７の動作周波数に相当する値を検知するもので、制御手段１３であるＰＷＭ回路で生成されるオン時間を検出する。
【００２８】
高周波インバータ１７は、コンデンサ２１、共振コンデンサ２２、スイッチング素子１４で構成し、共振コンデンサ２２は高周波電流が流れても損失の少ないポリプロピレンコンデンサを使用し、加熱コイル７と並列接続しており、並列共振回路を形成している。
【００２９】
コンデンサ２１とダイオードブリッジ１９とチョークコイル２０は、１００Ｖ、６０Ｈｚの交流電源１８を全波整流する。このとき、コンデンサ２１の容量は数μＦと小さいものを選択し、負荷に電流を供給した場合、大きなリプルを発生し、交流電源１８を整流した波形と同一となる。
【００３０】
図４は、炊飯器の表示手段１０および操作手段１１を示す図であり、操作手段１１は、炊飯開始スイッチ２３、保温開始スイッチ２４、切スイッチ２５、周波数表示スイッチ２６を配置している。また、炊飯中や保温中およびインバータ動作周波数を表示できる表示手段１０であるＬＣＤ２７を配置している。
【００３１】
ここで、表示手段１０は、周波数検知手段１５により検知した周波数に相当する値、すなわち、制御手段１３であるＰＷＭ回路で生成されるオン時間を表示するよう構成している。
【００３２】
上記構成において動作、作用を説明する。炊飯を行う米とその水量に対応する水を鍋２に入れ、炊飯器本体１内に収納し、炊飯開始スイッチ２３を使用者が操作すると、表示手段１０であるＬＣＤ２７に炊飯中の表示をし、炊飯が開始される。
【００３３】
炊飯は鍋２の温度センサ１２によって、高周波インバータ基板８上に搭載されたマイクロコンピュータ１６にあらかじめ設定されている炊飯シーケンスに基づいて、鍋２を誘導加熱して、鍋２の内部の水と米は、加熱コイル７により鍋２の底から加熱され、お米がふっくら炊ける。
【００３４】
鍋２の加熱を行うときには、加熱コイル７に高周波インバータ１７から高周波電流を供給することによって生じる交番磁界により誘導加熱するが、このとき、周波数検知手段１５は、図３（Ａ）に示す、制御手段１３であるＰＷＭ回路で生成されるパルス信号のオン時間（Ｄ）を検出し、表示手段１０であるＬＣＤ２７に周波数検知手段１５により検出した時間を表示する信号を出力して、ＬＣＤ２７に炊飯中の表示と周波数検知手段１５により検出した時間を表示する。なお、図３（Ｂ）は、スイッチング素子１４の電圧、図３（Ｃ）は、加熱コイル７の電流を示している。
【００３５】
以上のように、本実施の形態においては、高周波インバータ１７の動作周波数に相当する値を周波数検知手段１５により検知し、この周波数検知手段１５により検知した周波数に相当する値を表示手段１０に表示するよう構成したので、炊飯器から大きな音を発した場合に、使用者は鍋２が共鳴する鍋鳴りにより大きな音が発生したのか、その他の原因で大きな音を発したかどうか、容易に判断することができ、信頼性を向上することができる。
【００３６】
また、周波数検知手段１５は、制御手段１３で生成されるスイッチング素子１４へのオンにより、オン時間を検出するようにしたから、オン時間により周波数を推定できるので、周波数を検知する回路等の必要性がなく、部品点数を減らすことができ、基板の実装面積を減らすことができる。
【００３７】
また、表示手段１０は周波数検知手段による検知周波数の表示と、炊飯機能の表示を兼用するようにしたから、検知周波数の表示手段１０と炊飯機能を示す表示手段１０とを別に設ける必要がなく、部品点数を減らすことができるので、基板の実装面積を減らすことができる。
【００３８】
また、周波数検知手段１５を、制御手段１３であるＰＷＭ回路で生成されるパルス信号のオン時間を検出することで、高周波インバータ１７の周波数を推定することができ、同様な効果が得ることもできる。
【００３９】
さらに、周波数検知手段１５を、スイッチング素子１４の導通時間または遮断時間を検知することで高周波インバータ１７の動作周波数を検知することができる。
【００４０】
（実施の形態２）
図２に示す支持部材５は、図５（ア）〜（オ）に示すように、上下方向の厚みが異なる複数種類の支持部材５ａ〜５ｅを予め用意し、上枠６の上端部から保護枠３の底部までの上下方向の寸法によって、厚みが異なる支持部材５ａ〜５ｅを選択して取り付ける構成としている。他の構成は上記実施の形態１と同じである。
【００４１】
上記構成において動作、作用を説明する。図６は、高周波インバータ１７の周波数と支持部材５の上下方向の厚みの関係を示す特性図である。この特性図からわかるように、支持部材５の上下方向の厚みを変えると、加熱コイル７と鍋２の磁気結合の度合いが変化し、加熱コイル７から見たインダクタンスが変化するので、支持部材５の上下方向の厚みが厚くなるほど周波数が低くなり、支持部材５の上下方向の厚みが薄くなるほど周波数が高くなる。
【００４２】
また、鍋２の振動周波数も高周波インバータ１７の動作周波数と重なると共鳴し、大きな音を発する。さらに、鍋２が強く共鳴を起こす強共振領域（α）と、鍋２が弱く共鳴を起こす弱共振領域（β）とを有することがわかっている。したがって、高周波インバータ１７の動作周波数はこの二つの領域に重ならないように設定しなければならない。
【００４３】
ここで、例えば、支持部材５として、図５（イ）に示す支持部材５ａを上枠６に取り付け、鍋２が強く共鳴を起こす強共振領域が２５．０ｋＨｚ以上、２６．０ｋＨｚ以下とし、加熱コイル７を構成するフェライト９の割れなどの経年変化がない場合の高周波インバータ１７の周波数を２７．０ｋＨｚとする。
【００４４】
このとき、加熱コイル７を構成するフェライト９の割れなどの経年変化によって、加熱コイル７と鍋２の磁気結合の度合いが変化し、加熱コイル７から見たインダクタンスが増加するため、スイッチング素子１４の導通時間が長くなり、高周波インバータ１７の動作周波数が低下し、表示手段１０であるＬＣＤ２７には２５．５ｋＨｚが表示されたとすれば、大きな音が発生した理由が鍋２の共鳴と把握することができる。
【００４５】
さらに、この鍋２の強共振領域（α）から、高周波インバータ１７の周波数を外すために、使用者はＬＣＤ２７の表示を見ながら２５．０ｋＨｚ以上、２６．０ｋＨｚ以下から外れる支持部材５の上下方向の厚みを選択すればよい。
【００４６】
以上のように、本実施の形態においては、鍋２の収納部を保護枠３とともに構成する上枠６の上端部に支持部材５を着脱自在に設け、この支持部材５に鍋２の上端周縁部を載せて鍋２を支持するよう構成し、支持部材５は、上下方向の厚みが異なる複数種類の支持部材５ａ〜５ｅを予め用意し、上枠６の上端部から保護枠３の底部までの上下方向の寸法によって、厚みが異なる支持部材５ａ〜５ｅを選択して取り付ける構成としたので、鍋鳴りが発生した場合に支持部材５を変更することで、高周波インバータ１７から見た加熱コイル７と鍋２のインダクタンスを変えることができ、高周波インバータ１７の動作周波数を変えることができるので、鍋鳴りを防止することができる。
【００４７】
（実施の形態３）
図７に示すように、第１の判定手段２８は、周波数検知手段１５で検知した周波数があらかじめ設定した周波数に合致するかどうかを判定するもので、図２に示す高周波インバータ基板８に搭載されたマイクロコンピュータ１６で構成し、周波数があらかじめ設定されている異常条件値の範囲内にあるとき、表示手段１０であるＬＣＤ２７に異常であることの旨を表示する信号を出力する。
【００４８】
周波数検知手段１５はオペアンプまたは論理回路等で構成し、スイッチング素子１４の電圧（図３（Ｂ）参照）を周波数変換し、周波数を検知するようにしている。他の構成は上記実施の形態１と同じであり、同一符号を付して説明を省略する。
【００４９】
上記構成において動作、作用を説明する。まず、制御手段１３は上記実施の形態１と同様にして加熱制御を行う。周波数検知手段１５は、スイッチング素子１４の電圧を周波数に変換し周波数を検知する。
【００５０】
そこで、第１の判定手段２８は正常状態か異常状態かを判定するための条件値、例えば、図６の鍋２が強く共鳴を起こす強共振領域（α）と、鍋２が弱く共鳴を起こす弱共振領域（β）を異常条件値と設定しておき、この条件値と周波数検知手段１５で検知した周波数値の比較を行う。このとき、検知した周波数が異常条件値であれば、加熱コイル７を構成するフェライト９の割れなどの経年変化によって、誘導加熱コイル７と鍋２の磁気結合の度合いが変化し、加熱コイル７から見たインダクタンスが変化し、鍋鳴りであると判定する。第１の判定手段２８は表示手段１０であるＬＣＤ２７に鍋鳴りであることの旨を表示する信号を出力する。
【００５１】
以上のように、本実施の形態においては、周波数検知手段１５で検知した周波数があらかじめ設定した周波数に合致するかどうかを判定する第１の判定手段２８を備え、表示手段１０は第１の判定手段２８の結果を表示するようにしたので、高周波インバータ１７の動作周波数が鍋鳴りの周波数領域にある場合に、表示手段１０は鍋鳴りの周波数領域にあることを、使用者に視覚的に知らせることができるので、使用者は鍋鳴りの周波数領域を覚えておく必要がなく、使用者の手間を省くことができる。
【００５２】
また、周波数検知手段１５は、スイッチング素子１４電圧の周波数を検知するようにしたから、周波数検知手段１５は高周波インバータ１７の周波数をスイッチング素子１４の電圧により周波数に変換することで検知できるので、実施の形態１に比べ、正確に高周波インバータの動作周波数を検知できる。
【００５３】
（実施の形態４）
図８に示すように、第２の判定手段２９は、周波数検知手段１５で検知した周波数が少なくとも１つ以上のあらかじめ設定した周波数領域に合致した場合、あらかじめ設定した周波数領域に合致しないように、支持部材５の上下方向の厚みを判定するもので、図２に示す高周波インバータ基板８に搭載されたマイクロコンピュータ１６で構成し、周波数があらかじめ設定されている異常条件値の範囲内にあるとき、表示手段１０であるＬＣＤ２７に鍋２の支持部材５の上下方向の厚みを表示する信号を出力する。
【００５４】
周波数検知手段１５はカレントトランス３０、オペアンプまたは論理回路等で構成し、加熱コイル７に流れる電流（図３（Ｃ）参照）の周波数を周波数変換し、周波数を検知するようにしている。他の構成は上記実施の形態１と同じであり、同一符号を付して説明を省略する。
【００５５】
上記構成において動作、作用を説明する。まず、制御手段１３は上記実施の形態１と同様にして加熱制御を行う。周波数検知手段１５は、加熱コイル７に流れる電流を周波数に変換し周波数を検知する。
【００５６】
そこで、第２の判定手段２９は正常状態か異常状態かを判定するための条件値、例えば、図６の鍋２が強く共鳴を起こす強共振領域（α）と、鍋２が弱く共鳴を起こす弱共振領域（β）を異常条件値と設定しておき、この条件値と周波数検知手段１５で検知した周波数値の比較を行う。このとき、検知した周波数が異常条件値であれば、加熱コイル７を構成するフェライト９の割れなどの経年変化によって、誘導加熱コイル７と鍋２の磁気結合の度合いが変化し、加熱コイル７から見たインダクタンスが変化し、鍋鳴りであると判定する。
【００５７】
また、第２の判定手段２９は誘導加熱コイル７と鍋２の磁気結合の度合いが変わり、加熱コイル７から見たインダクタンスが変化させ、高周波インバータ１７の動作周波数が、強共振領域（α）と、弱共振領域（β）を外れる、鍋２支持部材５の上下方向の厚みを決定する。さらに、第２の判定手段２９は表示手段１０であるＬＣＤ２７に鍋２支持部材５の上下方向の厚みを表示する信号を出力する。
【００５８】
以上のように、本実施の形態においては、周波数検知手段１５で検知した周波数が、少なくとも１つ以上のあらかじめ設定した周波数領域に合致した場合、あらかじめ設定した周波数に合致しないように、支持部材５の上下方向の厚みを判定する第２の判定手段２９を備え、表示手段１０は第２の判定手段２９の結果を表示するようにしたので、高周波インバータ１７の動作周波数が鍋鳴りの周波数領域にある場合に、表示手段１０には鍋鳴り周波数領域から外れる支持部材の上下方向の厚みを表示するので、使用者は容易に支持部材の上下方向の厚みを選択することができるので、利便性の向上を実現することができる。
【００５９】
また、周波数検知手段１５は、加熱コイル７に流れるコイル電流の周波数を検知するようにしたので、周波数検知手段１５は高周波インバータ１７のコイル電流を直接測定し、そのコイル電流により周波数に変換することで検知できるので、上記実施の形態１に比べ、正確に高周波インバータの動作周波数を検知できる。
【００６０】
また、本実施の形態では、スイッチング素子１４に流れる電流をカレントトランス、オペアンプまたは論理回路等で検知することにより同じ効果を得ることができる。
【００６１】
（実施の形態５）
図１または図４に示す表示手段１０は、使用者の操作により所定のスイッチ、たとえば、周波数表示スイッチ２６が押された場合に、ＬＣＤ２７に周波数検知手段１５により検知した周波数に相当する値を表示するようにしている。周波数表示スイッチ２６は周波数検知手段１５に接続している。他の構成は上記実施の形態１と同じである。
【００６２】
上記構成において動作、作用を説明する。使用者が炊飯器の動作している高周波インバータ１７の動作周波数を知りたいと判断し、周波数表示スイッチ２６を押した場合に、ＬＣＤ２７に周波数検知手段１５で検知した周波数に相当する値を表示する。
【００６３】
以上のように、本実施の形態においては、表示手段１０は操作手段１１で所定のスイッチ、すなわち周波数表示スイッチ２６が押された場合に、周波数検知手段１５により検知した周波数に相当する値を表示するようにしたので、使用者が所定のスイッチを押したときに表示手段１０にはインバータ動作周波数が表示されるので、使用者が周波数の情報を必要なときに得ることができる。
【００６４】
なお、本実施の形態では、周波数表示スイッチ２６が押された場合に、周波数検知手段１５により検知した周波数に相当する値を表示するようにしているが、操作手段１１に配置してある複数のスイッチを同時押しすることで、周波数検知手段１５により検知した周波数に相当する値を表示するようにしてもよく、同様の効果が得ることができる。
【産業上の利用可能性】
【００６５】
以上のように、本発明にかかる炊飯器は、高周波インバータの動作周波数を表示することで、炊飯器から大きな音が発した場合、使用者は鍋が共鳴する鍋鳴りにより大きな音が発生したのか、その他の原因で大きな音を発したかどうか容易に判断することができ、信頼性を向上することができるので、炊飯器本体内に着脱自在に収納した鍋を誘導加熱する炊飯器として有用である。
【図面の簡単な説明】
【００６６】
【図１】本発明の実施の形態１における炊飯器の一部ブロック化した回路図
【図２】（ａ）同炊飯器の断面図（ｂ）同炊飯器の要部拡大断面図
【図３】同炊飯器の要部電圧、電流波形図
【図４】同炊飯器の表示手段および操作手段を示す図
【図５】（ア）本発明の実施の形態２における炊飯器の支持部材の断面図（イ）同飯器の支持部材の他の例の断面図（ウ）同飯器の支持部材の他の例の断面図（エ）同飯器の支持部材の他の例の断面図（オ）同飯器の支持部材の他の例の断面図
【図６】同炊飯器の高周波インバータの周波数と支持部材の上下方向の厚みの関係を示す特性図
【図７】本発明の実施の形態３における炊飯器の一部ブロック化した回路図
【図８】本発明の実施の形態４における炊飯器の一部ブロック化した回路図
【図９】従来の炊飯器の一部ブロック化した回路図
【符号の説明】
【００６７】
１  炊飯器本体
２  鍋
７  加熱コイル
１０  表示手段
１３  制御手段
１４  スイッチング素子
１５  周波数検知手段
１７  高周波インバータ
【図１】
2006141517.tif 000003
【図２】
2006141517.tif 000004
【図３】
2006141517.tif 000005
【図４】
2006141517.tif 000006
【図５】
2006141517.tif 000007
【図６】
2006141517.tif 000008
【図７】
2006141517.tif 000009
【図８】
2006141517.tif 000010
【図９】
2006141517.tif 000011